(57)【要約】【課題】  室内照明灯の照明機能を維持しつつ、消灯時及び点灯時における光源を見え難くすることができる室内照明灯を得る。【解決手段】  車両の内装材４３に設けられた開口４５に取付可能なハウジング４７にレンズ４９が固定された意匠部５１と、意匠部５１に支持されることにより内装材４３の裏面側４３ａに配置され、かつ、光源５３を備える機能部５５とを具備した室内照明灯４１であって、光源５３とレンズ４９との間に板状の光透過部材７１をレンズ４９と平行に設けるとともに、この光透過部材７１の光源５３に対向する部位に、肉厚部７３を形成した。【選択図】図１
2005271867.tif 000002
【特許請求の範囲】
【請求項１】
車両の内装材に設けられた開口に取付可能なハウジングにレンズが固定された意匠部と、
該意匠部に支持されることにより前記内装材の裏面側に配置され、かつ、光源を備える機能部とを具備した室内照明灯であって、
前記光源と前記レンズとの間に板状の光透過部材が前記レンズと平行に設けられるとともに、該光透過部材の前記光源に対向する部位に肉厚部が形成されたことを特徴とする室内照明灯。
【発明の詳細な説明】
【技術分野】
【０００１】
本発明は、照明機能を維持しつつ、外方より見える光源等の部材を見え難くできる室内照明灯に関する。
【背景技術】
【０００２】
車両の天井面やサンバイザには車室内を照明したり、或いは化粧時等の照明に利用される室内照明灯が設けられる。図８は、車両の天井面の略中央部に取り付けられる従来の室内照明灯１の分解図である（例えば、特許文献１参照）。
この室内照明灯１は、意匠部３と、この意匠部３に着脱自在に取り付けられる機能部５とを有している。このうち意匠部３は、枠状のハウジング７と、このハウジング７に設けられたレンズ９と、ハウジング７の両側に設けられた係合爪１１とを有している。また、機能部５は、バルブ（電球）１３と、機能部本体１５とを有し、ハウジング７の開口１７に取り付けられる。
【０００３】
室内照明灯１は、車両のリインフォース１９と固定するべくハウジング７のリインフォース１９側に垂設された固定手段２１と、逆Ｕ字状に折り曲げられて、その先端部がリインフォース１９の取付部２３に係止される可撓アーム２５とを有している。意匠部３は、天井トリム（内装材）２７に穿設された係止孔２９に、係合爪１１を係止して固定される。機能部５は、この意匠部３に支持されることにより開口３１を介して天井トリム２７の裏面側に配置される。
【０００４】
したがって、機能部５のバルブ１３が点灯されると、バルブ１３から出射された発光光がレンズ９を透過し、車室内を照明することとなる。
【０００５】
【特許文献１】特開２００３−４００３２号公報
【発明の開示】
【発明が解決しようとする課題】
【０００６】
しかしながら、上記した従来の室内照明灯は、バルブ１３の直下に単体のレンズ９のみが配置されているため、車室内が明るい場合、レンズ９を透過した外光がバルブ１３に反射されて、再びレンズ９を透過して外部へ出射され、その反射光が視認されることにより、内部のバルブ１３やその近隣部品等が視野に入る不具合があった。また、点灯時においても、バルブ１３から出射される発光光によって、レンズ９の存在が視認され易い。
本発明は上記状況に鑑みてなされたもので、室内照明灯の照明機能を維持しつつ、消灯時及び点灯時における光源を見え難くすることができる室内照明灯を提供することを目的とする。
【課題を解決するための手段】
【０００７】
上記目的を達成するための本発明に係る室内照明灯は、車両の内装材に設けられた開口に取付可能なハウジングにレンズが固定された意匠部と、該意匠部に支持されることにより前記内装材の裏面側に配置され、かつ、光源を備える機能部とを具備した室内照明灯であって、前記光源と前記レンズとの間に板状の光透過部材が前記レンズと平行に設けられるとともに、該光透過部材の前記光源に対向する部位に肉厚部が形成されたことを特徴とする。
【０００８】
この室内照明灯では、光透過部材が光源とレンズとの間に配置されることで、光透過部材に形成された肉厚部が光源と一致し、外部よりレンズと光透過部材とを透過して進入し、光源や近隣部材によって反射されて再び光透過部材とレンズとを透過して眼に入る光が、肉厚部で他の部分より大きく屈折される。したがって、レンズ外方からの目視による光源の鮮明度が低下する（ぼやける）。また、これは、点灯時における光源から出射される発光光についても同様となる。これにより、消灯時及び点灯時における光源が見え難くなる。
【発明の効果】
【０００９】
本発明に係る室内照明灯によれば、光源とレンズとの間に、板状の光透過部材をレンズと平行に設けるとともに、光透過部材の光源に対向する部位に肉厚部を形成したので、光透過部材を透過する光を屈折させて、消灯時及び点灯時における光源を見え難くすることができる。
【発明を実施するための最良の形態】
【００１０】
以下、本発明に係る室内照明灯の好適な実施形態を図面を参照して説明する。
図１は本発明に係る室内照明灯の実施形態を表す断面図、図２はサンバイザの折りたたまれた天井部の断面図、図３は室内照明灯が設けられたフロントガラス寄り天井部の断面図、図４はカバーの設けられたサンバイザの正面図である。
本発明に係る実施形態の室内照明灯４１は、車両の天井トリム（内装材）４３に設けられた開口４５に取付可能なハウジング４７にレンズ４９が固定された意匠部５１と、この意匠部５１に支持されることにより天井トリム４３の裏面４３ａ側に配置され、かつ、光源であるバルブ（電球）５３を備える機能部５５とを有している。また、意匠部５１のハウジング４７には、クリップ５７が設けられている。機能部本体５９には、フラット電線６１を接続する圧接刃（図示せず）が設けられている。
【００１１】
この室内照明灯４１は、車両の天井トリム４３に取り付けられ、一方の側端部を中心として回転することにより開閉自在な図２に示すサンバイザ６３によって隠れる位置に配置される。室内照明灯４１を点灯する場合は、図３に示すように、サンバイザ６３をフロントガラス側に開く。次に、サンバイザ６３の天井トリム４３側の面に設けられた図４に示すカバー６５を開く。そうすると、サンバイザ６３に設けられている図３に示すバニティミラー６７が露出される。これと同時に、室内照明灯４１が点灯され、バニティミラー６７に映る画面を明瞭に見ることができるようになっている。
【００１２】
図５は図１に示した室内照明灯の要部拡大図、図６は肉厚部の配置バリエーションを（ａ）（ｂ）で表した説明図、図７は肉厚部の形状バリエーションを（ａ）（ｂ）（ｃ）で表した説明図である。
ところで、図５に示すように、バルブ５３とレンズ４９との間には、板状の光透過部材であるインナーレンズ７１がレンズ４９と平行に設けられている。インナーレンズ７１は、レンズ４９と略同一の形状・面積で形成され、レンズ４９の内枠部４９ａに固定される。この固定は、内枠部４９ａに、段部や係止片からなる係止手段を形成したり、或いは接着剤を用いて行われる。
【００１３】
このインナーレンズ７１には、バルブ５３に対向する部位に肉厚部７３が形成されている。肉厚部７３は、バルブ５３の位置に対応して配設される。したがって、例えば図６（ａ）に示すように、バルブ５３がレンズ４９の端側で配置される構造では、当該バルブ５３の位置に応じ、インナーレンズ７１の端側に肉厚部７３が配設される。また、インナーレンズ７１は、図６（ｂ）に示すように、不均一な厚みで形成されるものであってもよく、この場合においても、任意な肉厚部７３がバルブ５３に一致するように配置される。
【００１４】
肉厚部７３は、透明なガラス或いは合成樹脂からなるインナーレンズ７１のバルブ５３に対面する側の内面を突出（隆起）させて形成される。この内面には、バルブ５３からの光を拡散させるための図示しない微小凹凸部が形成されていてもよい。また、インナーレンズ７１は、レンズ４９から最終的に出射させる光を白色光とさせるために、バルブ５３より出射される光の色度に対し補色の関係となる色に着色されているものであってもよい。
【００１５】
本実施形態において、肉厚部７３は、図５に示したように、曲面からなる山形に隆起した形状に形成れている。このように構成されるインナーレンズ７１がバルブ５３とレンズ４９との間に配置されることで、インナーレンズ７１に形成された肉厚部７３がバルブ５３と一致し、外部よりレンズ４９とインナーレンズ７１とを透過して進入し、バルブ５３や近隣部材によって反射されて再びインナーレンズ７１とレンズ４９とを透過して眼に入る光は、肉厚部７３で他の部分より大きく屈折されることになる。したがって、レンズ外方からの目視によるバルブ５３の鮮明度が低下する（ぼやける）ことになる。また、これは、点灯時におけるバルブ５３から出射される発光光についても同様となる。これにより、消灯時及び点灯時におけるバルブ５３を見え難くすることができる。
【００１６】
この他、肉厚部７３の形状としては、図７（ａ）〜（ｃ）に示す形状とすることができる。すなわち、図７（ａ）に示す肉厚部７３Ａは、交差する２つの傾斜面７５、７５により形成されている。図７（ｂ）に示す肉厚部７３Ｂは、球面７７、若しくは球面７７に近似した非球面で形成されている。図７（ｃ）に示す肉厚部７３Ｃは、バルブ５３との対向面が平坦面７９となった台形状で形成されている。
【００１７】
これらいずれの肉厚部７３、肉厚部７３Ａ、肉厚部７３Ｂ、肉厚部７３Ｃは、バルブ５３からの光を屈折させることで、外方からの目視によるバルブ５３の鮮明度を低下させる（ぼかせる）ように働く。したがって、いずれの肉厚部７３も、バルブ５３からの光が結像されることはなく、発散光となる。
【００１８】
このように、上記の室内照明灯４１によれば、バルブ５３とレンズ４９との間に、板状のインナーレンズ７１をレンズ４９と平行に設けるとともに、このインナーレンズ７１のバルブ５３に対向する部位に、肉厚部７３を形成したので、インナーレンズ７１を透過する光を屈折させて、消灯時及び点灯時におけるバルブ５３を見え難くすることができる。  
【００１９】
なお、上記の実施形態では、室内照明灯４１が天井トリム４３に設けられる場合を例に説明したが、本発明に係る室内照明灯は、サンバイザ６３に付設されるものであっても、上記の効果と同様の効果を奏するものである。
【図面の簡単な説明】
【００２０】
【図１】本発明に係る室内照明灯の実施の形態を表す断面図である。
【図２】サンバイザの折りたたまれた天井部の断面図である。
【図３】室内照明灯が設けられたフロントガラス寄り天井部の断面図である。
【図４】カバーの設けられたサンバイザの正面図である。
【図５】図１に示した室内照明灯の要部拡大図である。
【図６】肉厚部の配置バリエーションを（ａ）（ｂ）で表した説明図である。
【図７】肉厚部の形状バリエーションを（ａ）（ｂ）（ｃ）で表した説明図である。
【図８】従来の室内照明灯の分解斜視図である。
【符号の説明】
【００２１】
４１  室内照明灯
４３  天井トリム（内装材）
４５  開口
４７  ハウジング
４９  レンズ
５１  意匠部
５３  バルブ（光源）
５５  機能部
７１  インナーレンズ（光透過部材）
７３  肉厚部
【図１】
2005271867.tif 000003
【図２】
2005271867.tif 000004
【図３】
2005271867.tif 000005
【図４】
2005271867.tif 000006
【図５】
2005271867.tif 000007
【図６】
2005271867.tif 000008
【図７】
2005271867.tif 000009
【図８】
2005271867.tif 000010